(57)【要約】    【課題】  本発明は、搬送物が安定して固定され、安全でかつ容易にしかもある程度狭い通路であっても搬送が行える組立式電動ベッドのための搬送ラックを提供することにある。    【解決手段】  本発明に係る組立式電動ベッドのための搬送ラックＡは、ラック１０と固定手段２０とからなるラック本体１と包装手段とからなり、前記ラック１０は、車輪ｂにより移動自在であって、床板ｃが敷設された台車フレーム１１と、上部にスペーサ軸ｇ１〜ｇ３を架設し、互いに向かい合って寄りかかり合うように前記台車フレーム１１上に構成された１対の傾斜フレーム１２、１２’とを備え、前記固定手段２０は、伸縮性を有し、その一端は前記ラック１０に結合され、他端に脱着可能な連結部材２０ｃを有する締着バンド２０’を備え、前記包装手段は、前記ラック本体に組立式電動ベッドを構成するパーツを固定した状態において、その全体を覆い包むことが可能に構成されてなる。【選択図】        図１
2005280815.tif 000002
【特許請求の範囲】
【請求項１】
ラックと固定手段とからなるラック本体と包装手段とからなり、
前記ラックは、車輪により移動自在であって、床板が敷設された台車フレームと、上部にスペーサ軸を架設し、互いに向かい合って寄りかかり合うように前記台車フレーム上に構成された１対の傾斜フレームとを備え、
前記固定手段は、伸縮性を有し、その一端は前記ラックに結合され、他端は脱着可能な連結部材を有する締着バンドを備え、
前記包装手段は、前記ラック本体に組立式電動ベッドを構成するパーツを固定した状態において、その全体を覆い包むことが可能に構成され、
てなることを特徴とする組立式電動ベッドのための搬送ラック。
【請求項２】
台車フレームの底部にリフト爪挿入用ガイドを設けたことを特徴とする請求項１に記載の組立式電動ベッドのための搬送ラック。
【請求項３】
台車フレーム、傾斜フレーム及びスペーサ軸のいずれか又は全てがパイプ材で構成され、各パイプ材がパイプ連結具で分解及び組立を可能にしたことを特徴とする請求項１〜３のいずれか１項に記載の組立式電動ベッドのための搬送ラック。
【発明の詳細な説明】
【技術分野】
【０００１】
本発明は、賃貸により供される介護者用電動ベッドのような組立式電動ベッドを搬送したり、保管したり、また、消毒殺菌したりする際に使用する組立式電動ベッドのための搬送ラックに関する。
【背景技術】
【０００２】
近年、高齢者の増加に伴って在宅介護の重要度が増し、家庭において介護者用ベッドが利用され、この介護者用ベッドも電動で上下動や傾動するいわゆる電動ベッドが利用されることが多くなってきている。また、このような介護者用ベッドは高価であると共に利用する期間が長短定まらないため、賃貸により供される介護者用ベッドを利用するのが一般的である。この賃貸による介護者用ベッドは、これを必要とする家庭への搬入、不要になった時の回収、回収後の殺菌消毒、倉庫等への保管というサイクルで運用されるので、搬送作業が極めて頻繁に行われる。ところで電動ベッド総重量が１台当たりおよそ８０Ｋｇ〜１００Ｋｇであり、５点程度のパーツに分解できるとしても、ほとんど手作業で搬入時の荷下ろし及び搬出時の荷積みを何度も繰り返し行わなければならず、その作業に多くの時間と過度の労力とを要し、作業性が極めて悪く、作業者に過酷な労働を強いることになっているのが現状であり、そのため作業者の定着性が低いことが介護サービス事業の課題の一つとなっている。
【０００３】
そこで、上記のように作業性が悪いことを解消するために、特許文献１に示されるように、組立式電動ベッドを保管したり現地に搬送したりする際の搬送用のラックとして、キャスタを装着した基枠体と基枠体に立設した支柱枠と梁枠とを有し、これら梁枠及び支柱枠に組立式電動ベッドを構成する複数のユニットをそれぞれ懸吊するための吊り下げ手段であるアーム部並びに係止具を有するものであって、アーム部には、電動ベッドを構成するユニットのうち、重量箇所である脚部ユニットと電動アクチュエータ及びコントローラ等を取り付けた起動部ユニットとを、それぞれ分散して懸吊することで、重量バランスを調整するように構成したものが提案されている。
【特許文献１】特開２００１−１２２１２７
【発明の開示】
【発明が解決しようとする課題】
【０００４】
しかしながら、上記従来の搬送用ラックは、吊り下げ式であり、搬送物を懸吊する構造であるため、搬送中に揺動し、また搬送物が重量物でもあるので搬送が不安定になる欠点がある。また、傾斜面上を移動する必要がある場合には、懸吊された搬送物が進行方向の前方又は後方に傾動して搬送が不安定になり、また搬送物が重量物であることから事故につながる危険性もある。さらに、吊り下げ式であるため搬送用ラック自体が大型化するので、大型車タイプの輸送車でなければ搬送用ラックを積み込めず、したがって道幅の狭い通路には搬送ラックを車に積み込んだ状態で進入ができないという欠点があった。
【０００５】
そこで、本発明者は、搬送物が安定して固定され、安全でかつ容易にしかもある程度狭い通路であっても搬送が行える組立式電動ベッドのための搬送ラックを開発した。
【課題を解決するための手段】
【０００６】
本発明に係る組立式電動ベッドのための搬送ラックは、ラックと固定手段とからなるラック本体と包装手段とからなり、前記ラックは、車輪により移動自在であって、床板が敷設された台車フレームと、上部にスペーサ軸を架設し、互いに向かい合って寄りかかり合うように前記台車フレーム上に構成された１対の傾斜フレームとを備え、前記固定手段は、伸縮性を有し、その一端は前記ラックに結合され、他端に脱着可能な連結部材を有する締着バンドを備え、前記包装手段は、前記ラック本体に組立式電動ベッドを構成するパーツを固定した状態において、その全体を覆い包むことが可能に構成されてなることを特徴とするものである。
【０００７】
上記のように構成したため、上記ラックにおける台車フレーム及び傾斜フレームの構成により、組立式電動ベッドを構成するパーツ一式（以下、「搬送物」という。）を、床板を敷設した台車フレーム上に載置し、かつ、傾斜フレームに立て掛けることを可能とし、上記固定手段における締着バンドにより、前記傾斜フレームに立て掛けた搬送物を固定することを可能とし、上記包装手段により前記ラック本体に搬送物を立て掛けて固定手段により固定した状態において、その全体を覆い包むことを可能としたものである。したがって、搬送物を、床板を敷設した台車フレーム上に載置し、傾斜フレームに立て掛けて締着バンドにより固定することができるので、ラック上に搬送物が極めて安定的に固定される。また、ラック上に搬送物を固定した状態において、その全体を包装材で覆い包むことができるので、搬送物が汚損するようなことがなく、また、整理整頓が行き届いて搬送物に不足が生じないので安全でかつ安心して搬送及び保管することができる。しかも、搬送ラック自体がコンパクトなものとなり、搬送物を積載した状態においても普通車タイプの輸送車でも十分に積み込むことが可能となる。
【０００８】
また、上記の構成に加え、台車フレームの底部にリフト爪挿入用ガイドを設けた構成としてもよい。
【０００９】
このように構成すれば、ラックに搬送物を積載した状態でリフト爪挿入用ガイドにリフトの爪を挿入することにより、リフトにより搬送物を載せた搬送ラックを安定して昇降させることができるので、便利である。
【００１０】
さらにまた、上記の構成に加え、台車フレーム、傾斜フレーム及びスペーサ軸のいずれか又は全てがパイプ材及びパイプ連結具で構成され、分解及び組立が可能である構成としてもよい。
【００１１】
このように構成したことにより、分解及び組立が容易であり、また、不必要時には分解してコンパクトにすることが可能であり、さらに、パイプ材又はパイプ連結具が部分的に破損しても破損した部分だけを取り替えるだけで容易に修理できるので、メンテナンスが楽である。
【発明の効果】
【００１２】
本発明に係る組立式電動ベッドのための搬送ラックは、搬送物が安定して固定され、安全でかつ容易に搬送が行える効果をもたらし、また、組立式電動ベッドの保管・搬送時の取り扱い易さが格段に向上し、しかも、一つの搬送ラックに一つの電動ベッドを構成するパーツを全て積載して保管するようにしているので、管理しやすい利点がある。さらに、搬送物を積載した搬送ラックがコンパクトであるため、普通車タイプの輸送車で搬送することが可能となり、ある程度道幅の狭い通路でも輸送車に搬送物を積載した搬送ラックを積み込んだ状態で進入することができるので、労力をより一層低減することができる。
【発明を実施するための最良の形態】
【００１３】
本発明に係る好適な実施例を添付の図面に基づいて詳細に説明する。
【００１４】
図１〜図７は本実施例に係る搬送ラックに関するものであり、図１はラック本体の斜視図であり、図２はやや上方から見たラックの斜視図であり、図３はラックを部分的に分解した状態を示すラックの斜視図であり、図４はラック本体に組立式電動ベッドを構成するパーツ、すなわち搬送物を積載した状態を示す斜視図であり、図５はラック本体に搬送物を積載し、包装手段により包装した状態を示す斜視図であり、図６は搬送ラックに搬送物を積載し、包装して車に積み込む状態を示す斜視図であり、図７は搬送ラックを利用して搬送物を搬送する経路の１例を示すフローチャートである。
【００１５】
図１〜図３において、１は、本実施例に係る搬送ラックＡにおけるラック本体であり、ラック１０と固定手段２０とから構成され、このラック本体１に包装手段３０が加わって搬送ラックＡが構成される。該ラック１０は、台車フレーム１１と１対の傾斜フレーム１２，１２とから構成される。
【００１６】
台車フレーム１１は、水平パイプフレームａとキャスターｂと床板ｃとから構成される。水平パイプフレームａは、その前端及び後端を構成する前端パイプａ１及び後端パイプａ２と、該パイプａ１、ａ２を架け渡すようにパイプ連結具ｄを介して連結固定した８本の縦列パイプａ５〜ａ１３と、前端パイプａ１及び後端パイプａ２に平行で前記縦列パイプａ５〜ａ１３の下方からパイプ連結具ｄを介して連結固定した２本の横列パイプａ３、ａ４とから格子状に構成されるパイプ製のフレームである。該水平パイプフレームａの底面側には、その隅角部４箇所にストッパｂ１を備えたキャスターｂが取り付けられていて、搬送ラックＡが移動可能になっており、ストッパｂ１により適宜の位置で停止できるようになっている。また、水平パイプフレームａの上面側には、後述する起立パイプ１２，１２’が貫通する貫通孔ｃ１〜ｃ６を設けた床板ｃが敷設されていて、床板ｃ上に組立式電動ベッドを構成するパーツなどの搬送物Ｂを載置できるようになっている。
【００１７】
また、上記台車フレーム１１の底面側には、横列パイプａ３、ａ４の間において縦列パイプａ５〜ａ１３を架け渡すように、左右一対のリフト爪挿入用ガイドｅ１、ｅ２を設けている。このように構成したため、搬送ラックＡに搬送物Ｂを載せた状態でリフト爪挿入用ガイドｅ１、ｅ２にリフトの爪を挿入することにより、リフトにより搬送物Ｂを載せた搬送ラックＡ全体を安定して昇降させることができるので便利である。
【００１８】
上記１対の傾斜フレーム１２，１２’は、前記台車フレーム１１上に構成されるものであって、図において、手前側の傾斜フレーム１２には、縦列パイプａ７にパイプ連結具ｄを介して連結固定された３本の起立パイプｆ１〜ｆ３が配設されている。各起立パイプｆ１〜ｆ３は、両側の起立パイプｆ１，ｆ３が中間の起立パイプｆ２よりやや長いものであり、各起立パイプｆ１〜ｆ３の中間高さの位置にパイプ連結具ｄを介して各起立パイプｆ１〜ｆ３を連結固定する支持用水平パイプｆ４が配設され、各起立パイプｆ１〜ｆ３の上部、起立パイプｆ２にあっては上端にパイプ連結具ｄを介して各起立パイプｆ１〜ｆ３を連結固定する支持用水平パイプｆ５が配設され、各起立パイプｆ１、ｆ３の上端にはパイプ連結具ｄを介して各起立パイプｆ１、ｆ３を連結固定する支持用水平パイプｆ６が配設されている。また、各起立パイプｆ１〜ｆ３の下部には、パイプ連結具ｄを介して各起立パイプｆ１〜ｆ３を連結固定し、縦列パイプａ５に連結固定される支持用梯子状水平パイプｆ７が配設されている。このように起立パイプｆ１〜ｆ３に対して、支持用水平パイプｆ４〜ｆ６及び支持用梯子状水平パイプｆ７を配設することにより、これら起立パイプｆ１〜ｆ３、支持用水平パイプｆ４〜ｆ６及び支持用梯子状水平パイプｆ７から構成される起立フレーム１２は台車フレーム１１から安定して起立できるように構成されている。
【００１９】
また、奥側の起立フレーム１２’には、縦列パイプａ１０にパイプ連結具ｄを介して連結固定された３本の起立パイプｆ１１〜ｆ１３が配されている。各起立パイプｆ１１〜ｆ１３は、両側の起立パイプｆ１１，ｆ１３が中間の起立パイプｆ１２よりやや長いものであり、各起立パイプｆ１１〜ｆ１３の中間高さの位置にパイプ連結具ｄを介して各起立パイプｆ１１〜ｆ１３を連結固定する支持用水平パイプｆ１４が水平方向に配設され、各起立パイプｆ１１〜ｆ１３の上部、起立パイプｆ１２にあっては上端にパイプ連結具ｄを介して各起立パイプｆ１１〜ｆ１３を連結固定する支持用水平パイプｆ１５が水平方向に配設され、各起立パイプｆ１１、ｆ１３の上端にはパイプ連結具ｄを介して各起立パイプｆ１１、ｆ１３を連結固定する支持用水平パイプｆ１６が水平方向に配設されている。また、該支持用水平パイプｆ１６には、傾斜フレーム１２における支持用水平パイプｆ６と相互にパイプ連結具ｄを介して連結固定するスペーサ軸ｇ１〜ｇ３が配設されており、前記したように傾斜フレーム１２が安定的に固定されているので、スペーサ軸ｇ１〜ｇ３を介して、起立パイプｆ１１〜ｆ１３、支持用水平パイプｆ１４〜ｆ１６により構成される傾斜フレーム１２’は、傾斜フレーム１２と互いに向かい合って寄りかかり合うように台車フレーム１１から安定して起立できるように構成されている。
【００２０】
固定手段２０は、前記した台車フレーム１１及び傾斜フレーム１２，１２’を構成する各パイプに取り付けられる締着バンド２０’よりなるものであり、該締着バンド２０’は、パイプへの取着部２０ａと、伸縮性を有するバンド部２０ｂと、バンド部２０ｂの先端に取着されたフック部２０ｃとから構成される。そして、図４に示すように、搬送物Ｂを台車フレーム１１上に載置し、傾斜フレーム１２、１２’に立て掛けた後、該締着バンド２０’を、そのバンド部２０ｂを引き延ばして搬送物Ｂに絡げ、フック部２０ｃを各フレームを構成する各パイプに取着して、搬送物Ｂを締着バンド２０’によりラック１０に固定する。
【００２１】
また、上記のように、台車フレーム１１、傾斜フレーム１２、１２’及びスペーサ軸ｇ１〜ｇ３のいずれか又は全てがパイプ材で構成され、各パイプ材がパイプ連結具ｄで連結固定するようにして、ラック１０が容易に分解及び組立が可能な構成としている。このように構成したことにより、ラック１０の製造及び組立が容易であり、また、不必要時には分解してコンパクトにすることが可能であり、さらに、パイプ材又はパイプ連結具が部分的に破損しても破損した部分だけを取り替えるだけで容易に修理できるのでメンテナンスが楽である。
【００２２】
包装手段２は、前述したように前記ラック本体１に搬送物Ｂを固定した状態において、図５に示すように、その全体を覆い包むことを可能に構成したものであって、開閉可能な構造を有する着脱可能な袋状のものである。なお、包装手段２は、図示するように、台車フレームの裏面部に配設したキャスターｂが露出するように構成しているので、図６に示すように、レールＣを利用すれば、車の荷台Ｄなどに容易に積み卸すことが可能となるので便利である。
【００２３】
以上のように、本実施例に係る搬送ラックＡは、ラック本体１における台車フレーム１１及び傾斜フレーム１２、１２’の構成により、搬送物Ｂを、床板ｃを敷設した台車フレーム１１上に載置し、かつ、傾斜フレーム１２、１２’に立て掛けてることを可能とし、上記固定手段２０における締着バンド２０’により、前記傾斜フレーム１２、１２’に立て掛けた搬送物Ｂを固定することを可能とする。また、上記包装手段２により前記ラック本体１に搬送物Ｂを立て掛けて固定手段２０により固定した状態において、その全体を覆い包むことを可能とする。したがって、搬送物Ｂを、床板ｃを敷設した台車フレーム１１上に載置し、傾斜フレーム１２、１２’に立て掛けて締着バンド２０’により固定することができるので、搬送ラックＡ上に搬送物Ｂが極めて安定的に固定される。また、ラック本体１上に搬送物Ｂを固定した状態において、その全体を包装手段２で覆い包むことができるので、搬送物Ｂが汚損するようなことがなく、また、整理整頓が行き届いて搬送物Ｂに不足が生じないので安全でかつ安心して搬送及び保管することができる。しかも、搬送ラックＡ自体がコンパクトなものとなり、搬送物Ｂを積載した状態においても図６に示すとおり普通車タイプの輸送車でも十分に積み込むことが可能となる。
【００２４】
図７は、搬送ラックを利用して搬送物を搬送する経路の１例を示すフローチャートであり、上記のように、搬送ラックＡに組立式電動ベッドのパーツ一式である搬送物Ｂを載せて搬送できるので、一般家庭等に搬入して搬送ラックＡから搬送物Ｂを取り出すとき以外は、搬送ラックＡから搬送物Ｂが取り出されることがないので、組立式電動ベッドのパーツが分散するおそれがなく、また、一般家庭等に搬入して搬送ラックＡから搬送物Ｂを取り出すとき、及び、消毒庫で洗浄や消毒を行うとき以外は、包装手段が取り外されることがないので、組立式電動ベッドのパーツが紛失するおそれがないので、一括管理ができて便利である。また、消毒庫を出る際にラック本体１を覆い包む包装手段と一般家庭等から搬出される際にラック本体１を覆い包む包装手段とを異なる色に着色したものを使用する。例えば、消毒庫を出る際にラック本体１を覆い包む包装手段について青色に着色したものを使用し、一般家庭等から搬出される際にラック本体１を覆い包む包装手段について赤色に着色したものを使用すれば、赤色の搬送ラックは消毒前であり、青色の搬送ラックは消毒後であることが一目瞭然に判別できるので、誤認が生ずるおそれを防止することができて便利である。
【図面の簡単な説明】
【００２５】
【図１】本発明の実施例に係るラック本体の斜視図である。
【図２】本発明の実施例に係るラック本体をやや上方から見たラックの斜視図である。
【図３】本発明の実施例に係るラック本体を部分的に分解した状態を示すラックの斜視図である。
【図４】本発明の実施例に係るラック本体に組立式電動ベッドを構成するパーツ、すなわち搬送物を積載した状態を示す斜視図である。
【図５】本発明の実施例に係るラック本体に搬送物を積載し、包装手段により包装した状態を示す斜視図である。
【図６】本発明の実施例に係る搬送ラックに搬送物を積載し、包装して車に積み込む状態を示す斜視図である。
【図７】本発明の実施例に係る搬送ラックを利用して搬送物を搬送する経路を示すフローチャートである。
【符号の説明】
【００２６】
Ａ・・・搬送ラック
Ｂ・・・搬送物（組立式電動ベッドのパーツ）
Ｃ・・・レール
Ｄ・・・車の荷台
１・・・ラック本体
１０・・ラック
１１・・台車フレーム
ａ・・・水平パイプフレーム
ａ１・・前端パイプ
ａ２・・後端パイプ
ａ３，ａ４・・横列パイプ
ａ５〜ａ１３・・縦列パイプ
ｂ・・・キャスター
ｂ１・・ストッパ
ｃ・・・床板
ｃ１〜ｃ６・・貫通孔
ｄ・・・パイプ連結具
ｅ１、ｅ２・リフト爪挿入用ガイド
１２、１２’・・傾斜フレーム
ｆ１〜ｆ３・起立パイプ
ｆ４〜ｆ６・支持用水平パイプ
ｆ７・・支持用梯子状水平パイプ
１２’・傾斜フレーム
ｆ１１〜ｆ１３・起立パイプ
ｆ１４〜ｆ１６・支持用水平パイプ
ｇ１〜ｇ３・・スペーサ軸
２０・・固定手段
２０’・締着バンド
２０ａ・取着部
２０ｂ・バンド部
２０ｃ・フック部
２・・・包装手段
【図１】
2005280815.tif 000003
【図２】
2005280815.tif 000004
【図３】
2005280815.tif 000005
【図４】
2005280815.tif 000006
【図５】
2005280815.tif 000007
【図６】
2005280815.tif 000008
【図７】
2005280815.tif 000009